(57)【要約】【課題】局部的な構造を安定的に保持して散布を減らすことができるとともに、局部的な画面特性制御によって製品の品質を改善することが可能な偏向ヨークの偏向コイルを提供すること。【解決手段】スクリーン部、ネック部、及びスクリーン部とネック部とを連結するボディ部からなる主コイルと、前記主コイルによる特性を補完するために前記主コイルに巻線される補助コイルと、前記補助コイルの遊動を防止するように前記補助コイルと主コイルとを連結するブリッジとから構成される。【選択図】        図５
2004281362.tif 000002
【特許請求の範囲】
【請求項１】
スクリーン部、ネック部、及びスクリーン部とネック部とを連結するボディ部からなる主コイルと、
前記主コイルによる特性を補完するために前記主コイルに巻線される補助コイルと、
前記補助コイルの遊動を防止するように前記補助コイルと主コイルとを連結するブリッジとから構成されることを特徴とする偏向ヨークの偏向コイル。
【請求項２】
前記ブリッジは前記補助コイルの両側に左右対称に形成されることを特徴とする請求項１記載の偏向ヨークの偏向コイル。
【請求項３】
前記ブリッジは１００°〜１８０°の角度に形成されることを特徴とする請求項２記載の偏向ヨークの偏向コイル。
【請求項４】
スクリーン部、ネック部、及びスクリーン部とネック部とを連結するボディ部からなる主コイルと、
前記主コイルの中央に位置し、前記ネック部側に両端が連結されて閉鎖された形状に巻線される補助コイルと、
前記補助コイルの遊動を防止するように前記補助コイルの閉鎖端部と主コイルとを連結するブリッジとから構成されることを特徴とする偏向ヨークの偏向コイル。
【請求項５】
前記補助コイルは、両端が主コイルに連結された逆「Ｕ」字状であり、前記補助コイルの上部エッジに前記ブリッジが巻線されることを特徴とする請求項４記載の偏向ヨークの偏向コイル。
【請求項６】
前記ブリッジは前記補助コイルの両側に左右対称に形成されることを特徴とする請求項５記載の偏向ヨークの偏向コイル。
【請求項７】
前記ブリッジは１００°〜１８０°の角度に形成されることを特徴とする請求項６記載の偏向ヨークの偏向コイル。
【発明の詳細な説明】
【０００１】
【発明の属する技術分野】
本発明は、カラーブラウン管用偏向ヨーク（ＤＹ：Ｄｅｆｌｅｃｔｉｏｎ  Ｙｏｋｅ）に関し、さらに詳しくは、偏向ヨークを構成する偏向コイルに設けられた補助コイルを安定的に支持して組立散布を減らすことができるとともに、画面の特性を制御して製品の品質を大幅改善することが可能な偏向ヨークの偏向コイルに関する。
【従来の技術】
通常、陰極線管（Ｃａｔｈｏｄｅ  ｒａｙ  ｔｕｂｅ：以下、「ＣＲＴ」という）には電子銃から走査された電子ビームの偏向原理が適用され、電子ビームを走査するためには陰極線管のネック部に水平方向の偏向磁界と垂直方向の偏向磁界を印加しなければならない。
このような偏向磁界を作るためのコイルを水平コイル及び垂直コイルという。これら水平コイルと垂直コイルは、基本的に相互直角で組み合わされている。水平偏向コイル、垂直偏向コイル及びフェライトコアからなるものを偏向ヨークという。
通常、ＣＲＴは、内面に三色で発光する蛍光膜が設けられたパネル、及び前記パネルの端部に封着されるファンネルを備える。前記ファンネルのネック部内には電子ビームを走査するための電子銃が設置され、前記ファンネルの外周面には前記電子銃から走査された赤、緑、青の電子ビームを偏向させるために偏向ヨークが設置される。
前記蛍光膜から所定の間隔をおいて電子ビーム貫通孔が多数設けられたシャドーマスクがフレームに溶接によって固着されている。また、前記パネルの内側面には前記フレームを支持するスタッドピン（ｓｔｕｄ  ｐｉｎ）が固定されており、前記フレームの側部には前記電子銃から発射された電子ビームの軌道を遮蔽及び制御するインナーシールド（ｉｎｎｅｒ  ｓｈｉｅｌｄ）が設置されている。
図１は従来のＣＲＴの一例である丸型ＣＲＴを概略的に示す側面図である。
図１に示すように、従来の丸型ＣＲＴは、丸型でスクリーンの前面に向かって突出するように大きく湾曲しているスクリーンパネル１と、前記スクリーンパネル１の後端にフリットガラスで融着されて陰極線管内を真空化するファンネル２と、前記ファンネル２の後端のネック部７内に装着され、電子ビーム４ａ、４ｂ、４ｃを放射する電子銃５と、前記電子銃５から放射された電子ビーム４ａ、４ｂ、４ｃをスクリーン全面に左右上下に偏向させる偏向ヨーク６とを含んでなる。
前記偏向ヨーク６は、図２に示すように、陰極線管の電子銃から発射される電子ビーム４ａ、４ｂ、４ｃに垂直方向の偏向磁界を印加して前記電子ビーム４ａ、４ｂ、４ｃを垂直方向に偏向させる垂直偏向コイル１２と、前記電子ビーム４ａ、４ｂ、４ｃに水平方向の偏向磁界を印加して前記電子ビーム４ａ、４ｂ、４ｃを水平方向に偏向させる水平偏向コイル（図示せず）と、前記水平偏向コイル及び垂直偏向コイルの位置を精密に区分するとともに、前記水平偏向コイルと垂直偏向コイルとを互いに電気的に絶縁させるセパレイター１１と、水平偏向コイル及び垂直偏向コイルの磁界を強化させるフェライトコア１３とからなる。
前記セパレイター１１の内周には上下側に区分される前記水平偏向コイルが組み立てられ、前記セパレイター１１の外周には左右側に区分される垂直偏向コイル１２が組み立てられる。
すなわち、水平偏向コイルはセパレイター１１の内周に密着して水平偏向磁界を形成するように構成され、垂直偏向コイル１２はセパレイター１１の外周に密着して垂直偏向磁界を形成するように構成される。
ここで、水平偏向コイル及び垂直偏向コイル１２は、それぞれ２つが一対をなして別途の生産ラインによって製作された後、セパレイター１１の内周及び外周に互いに直角となるように組み立てられ、電子銃５から走査される電子ビームに水平方向の偏向磁界と垂直方向の偏向磁界を加える。
そして、コイルセパレイター１１の外周には２つが１対になって略円筒状のフェライトコア１３が垂直偏向コイル１２を取り囲むように組み立てられる。このフェライトコア１３は垂直偏向磁界を強化させる作用をする。
このように構成されたブラウン管用偏向ヨーク６は、水平偏向コイルと垂直偏向コイル１２に所定波形の電流を印加することにより、それぞれの偏向磁界を作るが、一般には、それぞれの偏向コイルの分布を調整して、それぞれ異なる箇所から出発した赤、緑、青の電子ビームが画面上で同一の箇所に集束するようにすると同時に、最外郭のラスター形状が所定サイズの直線をなすようにしている。
ここで、前記水平偏向コイルと垂直偏向コイル１２によって偏向された前記赤、緑、青の電子ビームがスクリーンの正確な箇所に集束しなければ、スクリーンに映写された画像の色純度が低下するというミスコンバージョンス（Ｍｉｓ−Ｃｏｎｖｅｒｇｅｎｃｅ）が発生するが、このミスコンバージョンスを補完するために、従来ではミスコンバージョンスを補完するための補助コイルが巻線された偏向コイルを使用した。
すなわち、偏向コイルに補助コイルを巻線して、ブラウン管の画面に現われる赤、緑、青の電子ビームがずれるミスコンバージョンスを補正することができるようにした。
図３は従来の補助コイルが設けられた偏向コイルを示す正面図である。図３に示すように、前記偏向コイル２０は、セパレイターのネック側の端部に密着するネック部２１、前記セパレイターのスクリーン側の端部に密着するスクリーン部２２、及び前記スクリーン部２２とネック部２１とを連結するボディ部２３からなる主コイルと、前記主コイルの中央に位置し、前記ネック部２１側に両端が連結されて閉鎖された形状に巻線される補助コイル２４とから構成されている。
前記補助コイル２４は逆「Ｕ」字状を有し、前記主コイルと直列に連結されるように巻線されている。
このように構成された偏向コイル２０に一定の電圧を印加すると、その印加された電圧の一部が補助コイル２４に印加されることにより一定の磁界が形成され、補助コイル２４がない際に発生するピン（ｐｉｎ）磁界がバレル（ｂａｒｒｅｌ）磁界に変換されるので、ミスコンバージョンスが補正される。
また、ブラウン管用偏向ヨークの主コイルが設置された部分に適用して主磁界による逆起電力を発生させないことにより、偏向ヨークの主コイルによる特性を簡単に補完することができた。
ところが、このように補助コイル２４が巻線された偏向コイル２０は、補助コイル２４の両端が主コイルに連結されて閉鎖された形状を有する独立構造になっているが、補助コイル２４の上部エッジ部分の付加的な固定構造がないため、コイルを巻線した後偏向コイルに組み立てる前までの工程を経る間、前記補助コイル２４に変形が発生して特性に影響を及ぼす場合があった。
すなわち、前記補助コイル２４は、その両端が前記主コイルに連結されているだけで、上部が主コイルに固定されておらず、補助コイル２４の形状及び位置が不安定であって最初の巻線状態が保たれないで製品の変形が発生する場合が時々あった。
このように補助コイル２４が変形されると、偏向コイルの特性に悪い影響を及ぼすという問題点があった。
従って、従来は、図４に示すように、組立工程で補助コイル２４にテープ２５を付着させて補助コイル２４を固定させる方法を使用した。
ところが、テープ２５を用いて補助コイル２４を固定させる方法は、テープ２５の着脱作業を行わなければならないので、作業が煩わしく工数が多くかかるという問題点があった。
また、テープ２５による資材費が追加されるという欠点があった。
【発明が解決しようとする課題】
本発明は、かかる問題点を解決するためのもので、その目的は、補助コイルが巻線された偏向コイルにおける最初の巻線状態を維持し、製品の変形を最小化して組立散布を減らすことが可能な偏向コイルを提供することにある。
本発明の他の目的は、局部的な巻線構造を制御して画面特性を制御し、品質を向上させる偏向コイルを提供することにある。
本発明のさらに他の目的は、テープの着脱という追加工程を省くことにより、工程の損失を減らし且つ資材を節減することが可能な偏向コイルを提供することにある。
【課題を解決するための手段】
上記目的を達成するために、本発明は、スクリーン部、ネック部、及びスクリーン部とネック部とを連結するボディ部からなる主コイルと、前記主コイルによる特性を補完するために前記主コイルに巻線される補助コイルと、前記補助コイルの遊動を防止するように前記補助コイルと主コイルとを連結するブリッジとから構成される、偏向ヨークの偏向コイルを提供する。
また、上記目的を達成するために、本発明は、スクリーン部、ネック部、及びスクリーン部とネック部とを連結するボディ部からなる主コイルと、前記主コイルの中央に位置し、前記ネック部側に両端が連結されて閉鎖された形状に巻線される補助コイルと、前記補助コイルの遊動を防止するように前記補助コイルの閉鎖端部と主コイルとを連結するブリッジとから構成される、偏向ヨークの偏向コイルを提供する。
前記補助コイルは、両端が主コイルに連結された逆「Ｕ」字状であり、前記補助コイルの上部エッジに前記ブリッジが巻線される。
また、前記ブリッジは、前記補助コイルの両側に左右対称に形成され、１００°〜１８０°の角度に形成される。
【発明の実施の形態】
以下、本発明に係る偏向ヨークの偏向コイルの一実施例を添付図に基づいて詳細に説明する。
本発明の偏向コイルは、図５に示すように、セパレイターのネック側の端部に密着するネック部３１、前記セパレータのスクリーン側の端部に密着するスクリーン部３２、及び前記スクリーン部３２とネック部３１とを連結するボディ部３３からなる主コイルと、前記主コイルによる特性を補完するために前記主コイルに巻線される補助コイル３４とからなり、前記補助コイル３４の遊動を防止するように前記補助コイル３４と主コイルとを連結するブリッジ３５が形成されている。
前記補助コイル３４は、前記主コイルの中央に位置し、前記ネック部３１側に両端が連結されて閉鎖された形状に巻線されている。
前記補助コイル３４は、両端が主コイルに連結された逆「Ｕ」字状を有し、前記主コイルと直列に連結され、偏向コイルに一定の電圧が印加されると、印加された電圧の一部が補助コイル３４に印加されて一定の磁界が形成される。これにより、補助コイル３４がない際に発生するピン磁界がバレル磁界に変換されるので、ミスコンバージョンスを補正することができる。
本発明の偏向コイルは、前記補助コイル３４の遊動を防止するためのブリッジ３５が形成されているが、前記ブリッジ３５は補助コイル３４の両側に左右対称に形成されるもので、補助コイル３４の上部両側に形成される。
すなわち、本発明の偏向コイルは、両端が主コイルに連結されて閉鎖された形状を有する独立構造の補助コイル３４の上部エッジ部分に、主コイルに連結されるブリッジ３５が巻線されている。
従って、前記ブリッジ３５が補助コイル３４を主コイルに連結させて補助コイル３４の遊動を防止し、補助コイル３５を固定させることができる。
このため、このようにブリッジ３５を備えた本発明の偏向コイルは、コイルを巻線した後偏向ヨークに組み立てる前までの工程を経る間、前記補助コイル３４が前記ブリッジ３５によって支持されるので、補助コイル３４の遊動を防止し、組立工程の際に補助コイル３４に変形が発生することを防止することができる。
このように補助コイル３４の変形を防止することは、幾つかの効果をもたらす。
１）補助コイル３４の変形により偏向ヨークの特性に悪い影響を及ぼすことを防止することができる。
２）これにより、補助コイル３４の変形を防止して偏向ヨークの特性を改善し、偏向ヨークが設置されるＣＲＴの品質を向上させることができる。
３）補助コイル３４が巻線された偏向コイルにおける最初の巻線状態を維持し、製品の変形を最小化することにより、組立散布を減らすことができるという効果がある。
４）偏向ヨークの組立の際に作業者の作業が容易であるうえ、組立にかかる時間も節減することができるという効果がある。
一方、前記ブリッジ３５の形成角度（α）、すなわち前記主コイルと補助コイル３４の上部エッジとの連結により形成される角度（α）は１００°〜１８０°とすることが好ましい。
さらに好ましくは、図５に示すように、前記ブリッジ３５の形成角度（α）を１２０°〜１３５°とする。このように前記ブリッジ３５の形成角度（α）を１２０°〜１３５°とすることは、本発明の好適な一実施例で提示したものに過ぎず、本発明でこれを数値的に限定するのではない。
このような本発明の偏向コイルは、前記ブリッジ３５によって独立に構成された補助コイル３４が主コイルの中央部における局部的なマグネチックポテンシャル（ｍａｇｎｅｔｉｃ  ｐｏｔｅｎｔｉａｌ）を制御して、図６に示すように、全体画面における上下中間部Ａ、Ｂ及びその他の影響の範囲内に位置した局部的な画面特性を制御することができる。
また、本発明の偏向コイルは、前記ブリッジ３５が補助コイル３４の遊動を防止するので、従来の技術による組立工程で補助コイル３４に付着させたテープ２５を省くことができる。
従って、テープ２５を補助コイル３４に着脱する作業が不要なので、作業者の作業が容易で、工数が減少するという利点がある。
また、テープ２５を省略するので、資材費が節減されるという利点がある。
【発明の効果】
以上説明したように、本発明は、独立に構成された補助コイルの上部両端に、主コイルと連結させるブリッジを巻線することにより、補助コイルの変形による組立散布を最小化することができる。
すなわち、偏向コイルの局部的な構造を安定に維持及び支持することができるため、散布を改善することができるという効果がある。
また、補助コイルの遊動を防止して最初の巻線状態を維持し、製品の変形を最小化することにより、補助コイルが主コイルの中央部における局部的なマグネチックポテンシャルを制御して、全体画面における上下中間部及びその他の影響の範囲内に位置した局部的な画面特性を制御することができ、これによる製品の品質を改善することができるという効果がある。
また、既存の製品工程で使用したテープを省くことにより、テープの着脱段階が略されて作業者の作業が容易になり、従来の技術に比べて工数が減るという効果がある。
従って、テープによる追加工程を略して工程の損失を改善し、テープによる資材の追加を無くすことにより、資材を節減することができるという効果がある。
【図面の簡単な説明】
【図１】従来のＣＲＴの一例の構成を概略的に示す側面図である。
【図２】従来の偏向ヨークを示す正面図である。
【図３】従来の補助コイルが設けられた偏向コイルを示す正面図である。
【図４】従来の補助コイルにテープを貼り付けた偏向ヨークを示す正面図である。
【図５】本発明に係る偏向コイルを示す正面図である。
【図６】一般的なスクリーンを示す正面図である。
【符号の説明】
３１  ネック部
３２  スクリーン部
３３  ボディ部
３４  補助コイル
３５  ブリッジ
【図１】
2004281362.tif 000003
【図２】
2004281362.tif 000004
【図３】
2004281362.tif 000005
【図４】
2004281362.tif 000006
【図５】
2004281362.tif 000007
【図６】
2004281362.tif 000008
【手続補正書】
【提出日】平成15年6月26日(2003.6.26)
【手続補正１】
【補正対象書類名】明細書
【補正対象項目名】全文
【補正方法】変更
【補正の内容】
【特許請求の範囲】
【請求項１】スクリーン部、ネック部、及びスクリーン部とネック部とを連結するボディ部からなる主コイルと、
前記主コイルによる特性を補完するために前記主コイルに巻線される補助コイルと、
前記補助コイルの遊動を防止するように前記補助コイルと主コイルとを連結するブリッジとから構成されることを特徴とする偏向ヨークの偏向コイル。
【請求項２】前記ブリッジは前記補助コイルの両側に左右対称に形成されることを特徴とする請求項１記載の偏向ヨークの偏向コイル。
【請求項３】前記ブリッジは１００°〜１８０°の角度に形成されることを特徴とする請求項２記載の偏向ヨークの偏向コイル。
【請求項４】スクリーン部、ネック部、及びスクリーン部とネック部とを連結するボディ部からなる主コイルと、
前記主コイルの中央に位置し、前記ネック部側に両端が連結されて閉鎖された形状に巻線される補助コイルと、
前記補助コイルの遊動を防止するように前記補助コイルの閉鎖端部と主コイルとを連結するブリッジとから構成されることを特徴とする偏向ヨークの偏向コイル。
【請求項５】前記補助コイルは、両端が主コイルに連結された逆「Ｕ」字状であり、前記補助コイルの上部エッジに前記ブリッジが巻線されることを特徴とする請求項４記載の偏向ヨークの偏向コイル。
【請求項６】前記ブリッジは前記補助コイルの両側に左右対称に形成されることを特徴とする請求項５記載の偏向ヨークの偏向コイル。
【請求項７】前記ブリッジは１００°〜１８０°の角度に形成されることを特徴とする請求項６記載の偏向ヨークの偏向コイル。
【発明の詳細な説明】
【０００１】
【発明の属する技術分野】
本発明は、カラーブラウン管用偏向ヨーク（ＤＹ：Ｄｅｆｌｅｃｔｉｏｎ  Ｙｏｋｅ）に関し、さらに詳しくは、偏向ヨークを構成する偏向コイルに設けられた補助コイルを安定的に支持して組立散布を減らすことができるとともに、画面の特性を制御して製品の品質を大幅改善することが可能な偏向ヨークの偏向コイルに関する。
【０００２】
【従来の技術】
通常、陰極線管（Ｃａｔｈｏｄｅ  ｒａｙ  ｔｕｂｅ：以下、「ＣＲＴ」という）には電子銃から走査された電子ビームの偏向原理が適用され、電子ビームを走査するためには陰極線管のネック部に水平方向の偏向磁界と垂直方向の偏向磁界を印加しなければならない。
【０００３】
このような偏向磁界を作るためのコイルを水平コイル及び垂直コイルという。これら水平コイルと垂直コイルは、基本的に相互直角で組み合わされている。水平偏向コイル、垂直偏向コイル及びフェライトコアからなるものを偏向ヨークという。
【０００４】
通常、ＣＲＴは、内面に三色で発光する蛍光膜が設けられたパネル、及び前記パネルの端部に封着されるファンネルを備える。前記ファンネルのネック部内には電子ビームを走査するための電子銃が設置され、前記ファンネルの外周面には前記電子銃から走査された赤、緑、青の電子ビームを偏向させるために偏向ヨークが設置される。
【０００５】
前記蛍光膜から所定の間隔をおいて電子ビーム貫通孔が多数設けられたシャドーマスクがフレームに溶接によって固着されている。また、前記パネルの内側面には前記フレームを支持するスタッドピン（ｓｔｕｄ  ｐｉｎ）が固定されており、前記フレームの側部には前記電子銃から発射された電子ビームの軌道を遮蔽及び制御するインナーシールド（ｉｎｎｅｒ  ｓｈｉｅｌｄ）が設置されている。
【０００６】
図１は従来のＣＲＴの一例である丸型ＣＲＴを概略的に示す側面図である。
【０００７】
図１に示すように、従来の丸型ＣＲＴは、丸型でスクリーンの前面に向かって突出するように大きく湾曲しているスクリーンパネル１と、前記スクリーンパネル１の後端にフリットガラスで融着されて陰極線管内を真空化するファンネル２と、前記ファンネル２の後端のネック部７内に装着され、電子ビーム４ａ、４ｂ、４ｃを放射する電子銃５と、前記電子銃５から放射された電子ビーム４ａ、４ｂ、４ｃをスクリーン全面に左右上下に偏向させる偏向ヨーク６とを含んでなる。
【０００８】
前記偏向ヨーク６は、図２に示すように、陰極線管の電子銃から発射される電子ビーム４ａ、４ｂ、４ｃに垂直方向の偏向磁界を印加して前記電子ビーム４ａ、４ｂ、４ｃを垂直方向に偏向させる垂直偏向コイル１２と、前記電子ビーム４ａ、４ｂ、４ｃに水平方向の偏向磁界を印加して前記電子ビーム４ａ、４ｂ、４ｃを水平方向に偏向させる水平偏向コイル（図示せず）と、前記水平偏向コイル及び垂直偏向コイルの位置を精密に区分するとともに、前記水平偏向コイルと垂直偏向コイルとを互いに電気的に絶縁させるセパレイター１１と、水平偏向コイル及び垂直偏向コイルの磁界を強化させるフェライトコア１３とからなる。
【０００９】
前記セパレイター１１の内周には上下側に区分される前記水平偏向コイルが組み立てられ、前記セパレイター１１の外周には左右側に区分される垂直偏向コイル１２が組み立てられる。
【００１０】
すなわち、水平偏向コイルはセパレイター１１の内周に密着して水平偏向磁界を形成するように構成され、垂直偏向コイル１２はセパレイター１１の外周に密着して垂直偏向磁界を形成するように構成される。
【００１１】
ここで、水平偏向コイル及び垂直偏向コイル１２は、それぞれ２つが一対をなして別途の生産ラインによって製作された後、セパレイター１１の内周及び外周に互いに直角となるように組み立てられ、電子銃５から走査される電子ビームに水平方向の偏向磁界と垂直方向の偏向磁界を加える。
【００１２】
そして、コイルセパレイター１１の外周には２つが１対になって略円筒状のフェライトコア１３が垂直偏向コイル１２を取り囲むように組み立てられる。
【００１３】
このフェライトコア１３は垂直偏向磁界を強化させる作用をする。
【００１４】
このように構成されたブラウン管用偏向ヨーク６は、水平偏向コイルと垂直偏向コイル１２に所定波形の電流を印加することにより、それぞれの偏向磁界を作るが、一般には、それぞれの偏向コイルの分布を調整して、それぞれ異なる箇所から出発した赤、緑、青の電子ビームが画面上で同一の箇所に集束するようにすると同時に、最外郭のラスター形状が所定サイズの直線をなすようにしている。
【００１５】
ここで、前記水平偏向コイルと垂直偏向コイル１２によって偏向された前記赤、緑、青の電子ビームがスクリーンの正確な箇所に集束しなければ、スクリーンに映写された画像の色純度が低下するというミスコンバージョンス（Ｍｉｓ−Ｃｏｎｖｅｒｇｅｎｃｅ）が発生するが、このミスコンバージョンスを補完するために、従来ではミスコンバージョンスを補完するための補助コイルが巻線された偏向コイルを使用した。
【００１６】
すなわち、偏向コイルに補助コイルを巻線して、ブラウン管の画面に現われる赤、緑、青の電子ビームがずれるミスコンバージョンスを補正することができるようにした。
【００１７】
図３は従来の補助コイルが設けられた偏向コイルを示す正面図である。図３に示すように、前記偏向コイル２０は、セパレイターのネック側の端部に密着するネック部２１、前記セパレイターのスクリーン側の端部に密着するスクリーン部２２、及び前記スクリーン部２２とネック部２１とを連結するボディ部２３からなる主コイルと、前記主コイルの中央に位置し、前記ネック部２１側に両端が連結されて閉鎖された形状に巻線される補助コイル２４とから構成されている。
【００１８】
前記補助コイル２４は逆「Ｕ」字状を有し、前記主コイルと直列に連結されるように巻線されている。
このように構成された偏向コイル２０に一定の電圧を印加すると、その印加された電圧の一部が補助コイル２４に印加されることにより一定の磁界が形成され、補助コイル２４がない際に発生するピン（ｐｉｎ）磁界がバレル（ｂａｒｒｅｌ）磁界に変換されるので、ミスコンバージョンスが補正される。
【００１９】
また、ブラウン管用偏向ヨークの主コイルが設置された部分に適用して主磁界による逆起電力を発生させないことにより、偏向ヨークの主コイルによる特性を簡単に補完することができた。
【００２０】
ところが、このように補助コイル２４が巻線された偏向コイル２０は、補助コイル２４の両端が主コイルに連結されて閉鎖された形状を有する独立構造になっているが、補助コイル２４の上部エッジ部分の付加的な固定構造がないため、コイルを巻線した後偏向コイルに組み立てる前までの工程を経る間、前記補助コイル２４に変形が発生して特性に影響を及ぼす場合があった。
【００２１】
すなわち、前記補助コイル２４は、その両端が前記主コイルに連結されているだけで、上部が主コイルに固定されておらず、補助コイル２４の形状及び位置が不安定であって最初の巻線状態が保たれないで製品の変形が発生する場合が時々あった。
【００２２】
このように補助コイル２４が変形されると、偏向コイルの特性に悪い影響を及ぼすという問題点があった。
【００２３】
従って、従来は、図４に示すように、組立工程で補助コイル２４にテープ２５を付着させて補助コイル２４を固定させる方法を使用した。
【００２４】
ところが、テープ２５を用いて補助コイル２４を固定させる方法は、テープ２５の着脱作業を行わなければならないので、作業が煩わしく工数が多くかかるという問題点があった。
【００２５】
また、テープ２５による資材費が追加されるという欠点があった
【００２６】
【発明が解決しようとする課題】
本発明は、かかる問題点を解決するためのもので、その目的は、補助コイルが巻線された偏向コイルにおける最初の巻線状態を維持し、製品の変形を最小化して組立散布を減らすことが可能な偏向コイルを提供することにある。
【００２７】
本発明の他の目的は、局部的な巻線構造を制御して画面特性を制御し、品質を向上させる偏向コイルを提供することにある。
【００２８】
本発明のさらに他の目的は、テープの着脱という追加工程を省くことにより、工程の損失を減らし且つ資材を節減することが可能な偏向コイルを提供することにある。
【００２９】
【課題を解決するための手段】
上記目的を達成するために、本発明は、スクリーン部、ネック部、及びスクリーン部とネック部とを連結するボディ部からなる主コイルと、前記主コイルによる特性を補完するために前記主コイルに巻線される補助コイルと、前記補助コイルの遊動を防止するように前記補助コイルと主コイルとを連結するブリッジとから構成される、偏向ヨークの偏向コイルを提供する。
【００３０】
また、上記目的を達成するために、本発明は、スクリーン部、ネック部、及びスクリーン部とネック部とを連結するボディ部からなる主コイルと、前記主コイルの中央に位置し、前記ネック部側に両端が連結されて閉鎖された形状に巻線される補助コイルと、前記補助コイルの遊動を防止するように前記補助コイルの閉鎖端部と主コイルとを連結するブリッジとから構成される、偏向ヨークの偏向コイルを提供する。
【００３１】
前記補助コイルは、両端が主コイルに連結された逆「Ｕ」字状であり、前記補助コイルの上部エッジに前記ブリッジが巻線される。
【００３２】
また、前記ブリッジは、前記補助コイルの両側に左右対称に形成され、１００°〜１８０°の角度に形成される。
【００３３】
【発明の実施の形態】
以下、本発明に係る偏向ヨークの偏向コイルの一実施例を添付図に基づいて詳細に説明する。
【００３４】
本発明の偏向コイルは、図５に示すように、セパレイターのネック側の端部に密着するネック部３１、前記セパレータのスクリーン側の端部に密着するスクリーン部３２、及び前記スクリーン部３２とネック部３１とを連結するボディ部３３からなる主コイルと、前記主コイルによる特性を補完するために前記主コイルに巻線される補助コイル３４とからなり、前記補助コイル３４の遊動を防止するように前記補助コイル３４と主コイルとを連結するブリッジ３５が形成されている。
【００３５】
前記補助コイル３４は、前記主コイルの中央に位置し、前記ネック部３１側に両端が連結されて閉鎖された形状に巻線されている。
【００３６】
前記補助コイル３４は、両端が主コイルに連結された逆「Ｕ」字状を有し、前記主コイルと直列に連結され、偏向コイルに一定の電圧が印加されると、印加された電圧の一部が補助コイル３４に印加されて一定の磁界が形成される。
【００３７】
これにより、補助コイル３４がない際に発生するピン磁界がバレル磁界に変換されるので、ミスコンバージョンスを補正することができる。
【００３８】
本発明の偏向コイルは、前記補助コイル３４の遊動を防止するためのブリッジ３５が形成されているが、前記ブリッジ３５は補助コイル３４の両側に左右対称に形成されるもので、補助コイル３４の上部両側に形成される。
【００３９】
すなわち、本発明の偏向コイルは、両端が主コイルに連結されて閉鎖された形状を有する独立構造の補助コイル３４の上部エッジ部分に、主コイルに連結されるブリッジ３５が巻線されている。
【００４０】
従って、前記ブリッジ３５が補助コイル３４を主コイルに連結させて補助コイル３４の遊動を防止し、補助コイル３５を固定させることができる。
【００４１】
このため、このようにブリッジ３５を備えた本発明の偏向コイルは、コイルを巻線した後偏向ヨークに組み立てる前までの工程を経る間、前記補助コイル３４が前記ブリッジ３５によって支持されるので、補助コイル３４の遊動を防止し、組立工程の際に補助コイル３４に変形が発生することを防止することができる。
【００４２】
このように補助コイル３４の変形を防止することは、幾つかの効果をもたらす。
【００４３】
１）補助コイル３４の変形により偏向ヨークの特性に悪い影響を及ぼすことを防止することができる。
【００４４】
２）これにより、補助コイル３４の変形を防止して偏向ヨークの特性を改善し、偏向ヨークが設置されるＣＲＴの品質を向上させることができる。
【００４５】
３）補助コイル３４が巻線された偏向コイルにおける最初の巻線状態を維持し、製品の変形を最小化することにより、組立散布を減らすことができるという効果がある。
【００４６】
４）偏向ヨークの組立の際に作業者の作業が容易であるうえ、組立にかかる時間も節減することができるという効果がある。
【００４７】
一方、前記ブリッジ３５の形成角度（α）、すなわち前記主コイルと補助コイル３４の上部エッジとの連結により形成される角度（α）は１００°〜１８０°とすることが好ましい。
【００４８】
さらに好ましくは、図５に示すように、前記ブリッジ３５の形成角度（α）を１２０°〜１３５°とする。このように前記ブリッジ３５の形成角度（α）を１２０°〜１３５°とすることは、本発明の好適な一実施例で提示したものに過ぎず、本発明でこれを数値的に限定するのではない。
【００４９】
このような本発明の偏向コイルは、前記ブリッジ３５によって独立に構成された補助コイル３４が主コイルの中央部における局部的なマグネチックポテンシャル（ｍａｇｎｅｔｉｃ  ｐｏｔｅｎｔｉａｌ）を制御して、図６に示すように、全体画面における上下中間部Ａ、Ｂ及びその他の影響の範囲内に位置した局部的な画面特性を制御することができる。
【００５０】
また、本発明の偏向コイルは、前記ブリッジ３５が補助コイル３４の遊動を防止するので、従来の技術による組立工程で補助コイル３４に付着させたテープ２５を省くことができる。
【００５１】
従って、テープ２５を補助コイル３４に着脱する作業が不要なので、作業者の作業が容易で、工数が減少するという利点がある。
【００５２】
また、テープ２５を省略するので、資材費が節減されるという利点がある。
【００５３】
【発明の効果】
以上説明したように、本発明は、独立に構成された補助コイルの上部両端に、主コイルと連結させるブリッジを巻線することにより、補助コイルの変形による組立散布を最小化することができる。
【００５４】
すなわち、偏向コイルの局部的な構造を安定に維持及び支持することができるため、散布を改善することができるという効果がある。
【００５５】
また、補助コイルの遊動を防止して最初の巻線状態を維持し、製品の変形を最小化することにより、補助コイルが主コイルの中央部における局部的なマグネチックポテンシャルを制御して、全体画面における上下中間部及びその他の影響の範囲内に位置した局部的な画面特性を制御することができ、これによる製品の品質を改善することができるという効果がある。
【００５６】
また、既存の製品工程で使用したテープを省くことにより、テープの着脱段階が略されて作業者の作業が容易になり、従来の技術に比べて工数が減るという効果がある。
【００５７】
従って、テープによる追加工程を略して工程の損失を改善し、テープによる資材の追加を無くすことにより、資材を節減することができるという効果がある。
【図面の簡単な説明】
【図１】従来のＣＲＴの一例の構成を概略的に示す側面図である。
【図２】従来の偏向ヨークを示す正面図である。
【図３】従来の補助コイルが設けられた偏向コイルを示す正面図である。
【図４】従来の補助コイルにテープを貼り付けた偏向ヨークを示す正面図である。
【図５】本発明に係る偏向コイルを示す正面図である。
【図６】一般的なスクリーンを示す正面図である。
【符号の説明】
３１  ネック部
３２  スクリーン部
３３  ボディ部
３４  補助コイル
３５  ブリッジ